(57)【要約】【課題】読取られる画像が形成されている媒体の、搬送時における姿勢を安定させる。【解決手段】読取部１１は、媒体の第１面に形成された画像を読取る。読取部１１により読取られた画像データは、制御装置に送られ、異常の有無が判断される。支持部１２は、第１面の反対側の面から媒体を支持する部材である。送風部１３は、ブロアやファン等の送風装置を有し、矢印Ｄ２に沿って空気を送る。矢印Ｄ２の先には、支持部１２に支持されながら搬送される媒体と、この媒体に形成された画像を読取る読取部１１と、がある。送風部１３から送られる空気は、媒体の第１面に吹付けられる。この結果、この媒体のうち、読取部１１により読取られる部位は支持部１２に押付けられる。【選択図】図２
2020156019.tif 000002
【特許請求の範囲】
【請求項１】
媒体の第１面に形成された画像を読取る読取部と、
前記媒体を、前記第１面の反対側の面である第２面から支持する支持部と、
前記第１面の側から空気を吹付けて、前記媒体のうち前記読取部に読取られる部位を前記支持部に押付ける押付部と、
を有する画像読取装置。
【請求項２】
前記支持部は、前記読取部によって読取られる位置を前記媒体が通過するように、該媒体を支持しながら搬送する
請求項１に記載の画像読取装置。
【請求項３】
前記押付部は、前記媒体が搬送される方向に沿った方向に前記空気を吹付ける
請求項２に記載の画像読取装置。
【請求項４】
空気を吸引する吸引部、を有し、
前記支持部は、空気が通過する材質で構成され、
前記吸引部は、前記支持部と前記媒体とに挟まれた空気を吸引して該支持部を通過させ、該媒体を前記支持部に近づける
請求項１から３のいずれか１項に記載の画像読取装置。
【請求項５】
前記押付部は、前記吸引部により吸引された空気を吹付けて前記部位を前記支持部に押付ける
請求項４に記載の画像読取装置。
【請求項６】
前記読取部は、前記第１面を照射する照射部を有し、
前記押付部は、前記照射部を冷却する空気を用いて前記部位を前記支持部に押付ける
請求項１から５のいずれか１項に記載の画像読取装置。
【請求項７】
前記読取部は、前記画像を撮像する撮像素子を有し、
前記押付部は、前記撮像素子を冷却する空気を用いて前記部位を前記支持部に押付ける
請求項１から６のいずれか１項に記載の画像読取装置。
【請求項８】
媒体の第１面に画像を形成する画像形成部と、
前記媒体の前記第１面に形成された前記画像を読取る読取部と、
前記媒体を、前記第１面の反対側の面である第２面から支持する支持部と、
前記第１面の側から空気を吹付けて、前記媒体のうち前記読取部に読取られる部位を前記支持部に押付ける押付部と、
前記読取部により読取られた前記画像を検査する検査部と、
を有する画像形成装置。
【発明の詳細な説明】
【技術分野】
【０００１】
本発明は、画像読取装置、及び画像形成装置に関する。
【背景技術】
【０００２】
用紙等の媒体を搬送する搬送装置は、例えば、画像読取装置や画像形成装置に用いられる。画像形成装置において搬送装置により搬送される媒体は、特に画像の定着のために加熱された後にカールし易くなる。そのため加熱された媒体は、しばしば搬送中に搬送装置の無端ベルトから浮き上がり、紙詰まり等の不具合を生じさせることがあった。そこで、搬送される媒体の姿勢を安定させるために各種の技術が開発されている。
【０００３】
特許文献１には、シートの搬送面に多数の穿孔が形成された、回転駆動される無端ベルトと、その無端ベルトの内側からエアを吸気し、吸気されたそのエアを外側からその無端ベルトに向けて排気する吸排気部とを備えたシート搬送装置が記載されている。
【０００４】
特許文献２には、複数の開孔が形成され、用紙を印字ヘッドに搬送するとともに、その印字ヘッドにより印字した用紙を搬送する搬送路と、この搬送路の複数の開孔を介して用紙を吸引して搬送路に密着させる吸引手段と、この吸引手段の排気空気を印字終了後の用紙の印字面に送風する送風路とが設けられたインクジェットプリンタが記載されている。
【０００５】
特許文献３には、吸引ダクトを有するベルト搬送部を熱ロール定着装置の入口側と出口側にそれぞれ設けた画像形成装置が記載されている。
【先行技術文献】
【特許文献】
【０００６】
【特許文献１】特開２００６−１５１５４３号公報
【特許文献２】特開平６−５５７３１号公報
【特許文献３】特開平７−５６４５５号公報
【発明の概要】
【発明が解決しようとする課題】
【０００７】
ところで、搬送される際に媒体に生じる不具合は、画像読取装置でも問題となっている。特に、画像読取装置が媒体に形成された画像を正しく読取るためには、読取られる位置において媒体の姿勢が安定していることが必要である。
【０００８】
本発明の目的の一つは、読取られる画像が形成されている媒体の、搬送時における姿勢を安定させることである。
【課題を解決するための手段】
【０００９】
本発明の請求項１に係る画像読取装置は、媒体の第１面に形成された画像を読取る読取部と、前記媒体を、前記第１面の反対側の面である第２面から支持する支持部と、前記第１面の側から空気を吹付けて、前記媒体のうち前記読取部に読取られる部位を前記支持部に押付ける押付部と、を有する画像読取装置である。
【００１０】
本発明の請求項２に係る画像読取装置は、請求項１に記載の態様において、前記支持部は、前記読取部によって読取られる位置を前記媒体が通過するように、該媒体を支持しながら搬送する画像読取装置である。
【００１１】
本発明の請求項３に係る画像読取装置は、請求項２に記載の態様において、前記押付部は、前記媒体が搬送される方向に沿った方向に前記空気を吹付ける画像読取装置である。
【００１２】
本発明の請求項４に係る画像読取装置は、請求項１から３のいずれか１項に記載の態様において、空気を吸引する吸引部、を有し、前記支持部は、空気が通過する材質で構成され、前記吸引部は、前記支持部と前記媒体とに挟まれた空気を吸引して該支持部を通過させ、該媒体を前記支持部に近づける画像読取装置である。
【００１３】
本発明の請求項５に係る画像読取装置は、請求項４に記載の態様において、前記押付部は、前記吸引部により吸引された空気を吹付けて前記部位を前記支持部に押付ける画像読取装置である。
【００１４】
本発明の請求項６に係る画像読取装置は、請求項１から５のいずれか１項に記載の態様において、前記読取部は、前記第１面を照射する照射部を有し、前記押付部は、前記照射部を冷却する空気を用いて前記部位を前記支持部に押付ける画像読取装置である。
【００１５】
本発明の請求項７に係る画像読取装置は、請求項１から６のいずれか１項に記載の態様において、前記読取部は、前記画像を撮像する撮像素子を有し、前記押付部は、前記撮像素子を冷却する空気を用いて前記部位を前記支持部に押付ける画像読取装置である。
【００１６】
本発明の請求項８に係る画像形成装置は、媒体の第１面に画像を形成する画像形成部と、前記媒体の前記第１面に形成された前記画像を読取る読取部と、前記媒体を、前記第１面の反対側の面である第２面から支持する支持部と、前記第１面の側から空気を吹付けて、前記媒体のうち前記読取部に読取られる部位を前記支持部に押付ける押付部と、前記読取部により読取られた前記画像を検査する検査部と、を有する画像形成装置である。
【発明の効果】
【００１７】
請求項１に係る画像読取装置によれば、媒体の面のうち、読取られる画像が形成されている面の側から空気を吹付けない構成に比べて、その媒体の搬送時における姿勢が安定する。
請求項２に係る画像読取装置によれば、媒体は支持されながら搬送される。
請求項３に係る画像読取装置によれば、吹付ける空気によって媒体の搬送が妨げられない。
請求項４に係る画像読取装置によれば、支持部と媒体とに挟まれた空気を吸引して媒体を支持部に近づけることがない構成に比べて、媒体の搬送時における姿勢が安定する。
請求項５に係る画像読取装置によれば、支持部と媒体とに挟まれた空気は、媒体の第１面の側に吹付けられる。
請求項６に係る画像読取装置によれば、搬送される媒体の姿勢が安定するとともに、読取られる画像が形成された第１面を照射する照射部が冷却される。
請求項７に係る画像読取装置によれば、搬送される媒体の姿勢が安定するとともに、媒体に形成された画像を撮像する撮像素子が冷却される。
請求項８に係る画像形成装置によれば、媒体に形成した画像を読取って検査する際に、搬送されるその媒体の姿勢が安定する。
【図面の簡単な説明】
【００１８】
【図１】画像形成装置９の構成の一例を示す図。
【図２】画像読取装置１の構成を示す図。
【図３】支持部１２の一例を示す図。
【図４】送風部１３によって吹付けられる空気の流れを示す図。
【図５】送風部１３を兼ねた吸引部１４の例を示す図。
【図６】搬送される方向に沿って媒体に空気が吹付けられる態様を示す図。
【図７】媒体の両側の面を読取る画像読取装置１の例を示す図。
【発明を実施するための形態】
【００１９】
＜実施形態＞
＜画像形成装置の構成＞
図１は、画像形成装置９の構成の一例を示す図である。図１に示す画像形成装置９は、画像読取装置１、制御装置２、画像形成部３、及び分類装置４を有する。
【００２０】
制御装置２は、ＣＰＵ（Central Processing Unit）、ＲＯＭ（Read Only Memory）、ＲＡＭ（Random Access Memory）、及びハードディスクドライブやソリッドステートドライブ等の記憶部を有する。制御装置２は、ＣＰＵがＲＯＭ又は記憶部に記憶されているコンピュータプログラム（以下、単にプログラムという）を読み出して実行することにより画像形成装置９の各部を制御する。
【００２１】
画像形成部３は、制御装置２の制御の下、例えば、用紙やＯＨＰ（Overhead projector）フィルム等の媒体にトナーを転写し定着させて画像を形成する。画像形成部３は、搬送部３１、現像部３２、転写部３３、及び定着部３４を有する。搬送部３１は、例えば、軸を中心に回転可能に支持されたローラの組と、これらのローラに架け渡されて、媒体の搬送路を形成する無端ベルトと、を有する。搬送部３１は、容器に収容された媒体を１枚ずつ取り出して、現像部３２、転写部３３、及び定着部３４に搬送する。
【００２２】
現像部３２は、例えば、感光体ドラム、帯電部、露光部、現像ロールを有する。感光体ドラムは、帯電部により帯電した感光層を有し、この感光層に露光部から露光光を受けて、制御装置２の指示した画像データに基づく画像を表す静電潜像を形成する。現像ロールは、現像バイアス電圧の印加により、帯電したトナーを感光体ドラムに供給して、上述した静電潜像を現像する。
【００２３】
転写部３３は、例えば、一次転写ロール、二次転写ロール、中間転写ベルト、バックアップロールを有する。一次転写ロールは、感光体ドラムと対向する位置に中間転写ベルトを挟んで設けられる。一次転写ロールと感光体ドラムとに印加される電圧により、感光体ドラムに形成された画像は、無端のベルトである中間転写ベルトに転写（一次転写という）される。二次転写ロールとバックアップロールは、中間転写ベルトを挟んで互いに対向して設けられ、ニップ部を形成する。二次転写ロールにはバックアップロールと電位差が生じるように電圧が印加されている。搬送部３１により搬送された媒体は、ニップ部を通過するときに中間転写ベルトに接触し、上述した電圧により、中間転写ベルトに保持された画像は、媒体に転写（二次転写という）される。
【００２４】
定着部３４は、例えば、加熱ロール及び加圧ロールを有する。加熱ロールは、加圧ロールとニップ部を形成する。転写部３３で画像が二次転写され、搬送部３１により搬送される媒体が、このニップ部を通過するとき、加圧ロールはこの媒体を加熱ロールに向けて加圧し、加熱ロールはこの媒体を加熱する。これにより、転写部３３において二次転写された画像は、媒体に定着する。搬送部３１は、定着部３４を通過して画像が定着された媒体を画像読取装置１に搬送する。
【００２５】
画像読取装置１は、制御装置２の制御の下、画像形成部３から搬送された媒体を受入れ、この媒体に形成された画像を読取る。画像読取装置１は、読取った画像を示す画像データを制御装置２の検査部２１に送る。検査部２１は、画像読取装置１から送られた画像データを検査して、画像形成部３により媒体に形成された画像に異常がないか否かを判断する。
【００２６】
画像形成装置９は、検査部２１による検査結果を用いて、例えば、階調の補正や、媒体の分類等を画像形成部３や分類装置４に行わせる。すなわち、画像読取装置１は、画像形成装置９において、いわゆるインラインセンサとして機能する。画像読取装置１は、媒体の画像を読取った後、この媒体を分類装置４に送る。
【００２７】
分類装置４は、制御装置２の制御の下、媒体を分類する。分類装置４は、２以上の収容空間と、画像読取装置１から送られた媒体を、これらの収容空間のいずれかに送る切替器とを有する。制御装置２の検査部２１は、検査の結果に応じて媒体を分類する制御信号を分類装置４に送る。分類装置４は、検査部２１から送られた制御信号に応じて、媒体をそれぞれ収容空間に搬送する。これにより、２以上の収容空間には、それぞれ、画像に異常がある媒体と、画像に異常がない媒体と、がそれぞれ区別して収容される。すなわち、分類装置４は、検査結果に応じて媒体を分類する。
【００２８】
＜画像読取装置の構成＞
図２は、画像読取装置１の構成を示す図である。図２に示す通り、画像読取装置１は、読取部１１、支持部１２、及び送風部１３を有する。
【００２９】
読取部１１は、照射部１１１、撮像素子１１２、及び光学系１１３を有する。照射部１１１は、例えば、キセノンランプ等の蛍光ランプやＬＥＤ（light emitting diode）であり、図２に示す矢印Ｄ１に沿って画像形成部３から搬送される媒体のうち、画像が形成された面に向けて光を照射する。
【００３０】
光学系１１３は、図２に示す矢印Ｄ３に沿って、複数の鏡やプリズム、レンズ等を有し、媒体において反射された反射光を撮像素子１１２へ導く。つまり、光学系１１３は、いわゆる縮小光学系である。
【００３１】
撮像素子１１２は、例えばＣＭＯＳ（Complementary Metal Oxide Semiconductor）やＣＣＤ（Charge Coupled Device）等であり、導かれた反射光に応じた電気信号を発生させて、この電気信号に応じたデータを図１に示す制御装置２に送る。これにより、制御装置２は、媒体に形成された画像に応じた画像データを受け取る。
【００３２】
つまり、読取部１１は、媒体に形成された画像を読取り、この画像を示す画像データを制御装置２に送る。媒体の面のうち、読取部１１によって読取られる画像が形成された面を第１面という。すなわち、読取部１１は、媒体の第１面に形成された画像を読取る読取部の一例である。また、この第１面に画像を形成する画像形成部３は、媒体の第１面に画像を形成する画像形成部の一例である。
【００３３】
読取部１１により読取られた画像データは、上述した制御装置２により実現する検査部２１に送られ、この検査部２１により異常の有無が判断される。つまり、検査部２１は、読取部により読取られた画像を検査する検査部の一例である。
【００３４】
支持部１２は、第１面の反対側の面（第２面という）から媒体を支持する部材である。すなわち、支持部１２は、媒体を、第１面の反対側の面である第２面から支持する支持部の一例である。
【００３５】
図３は、支持部１２の一例を示す図である。図３に示す支持部１２は、ベルト１２１、バキュームダクト１２２、及びロール１２３を有する。また、図３に示す画像読取装置１は、吸引部１４を有する。
【００３６】
ベルト１２１は、支持部１２が有する２つのロール１２３に架け渡された無端ベルトであり、空気が通過する材質で構成されている。ベルト１２１は、例えば、図３に示す通り、格子状に配置された複数の孔が形成されている。
【００３７】
バキュームダクト１２２は、ベルト１２１によって囲われる容器であり、壁面には空気が通過する複数の孔が設けられている。この壁面は、ベルト１２１を通過した空気が集められる空間を形成する。すなわち、空気が通過する複数の孔が形成されたベルト１２１及びバキュームダクト１２２を有する支持部１２は、空気が通過する材質で構成される支持部の一例である。
【００３８】
２つのロール１２３は、バキュームダクト１２２の両端に並行に配置される。これら２つのロール１２３のうち、いずれか一方が制御装置２の制御の下で駆動することで、これらに架け渡されたベルト１２１は回転し、媒体を外周面で支持しながら搬送する。これら２つのロール１２３に架け渡されたベルト１２１の外周面は、読取部１１の照射部１１１が光を照射する位置、すなわち、読取部１１により読取られる位置を通過する。つまり、図３に示す支持部１２は、読取部によって読取られる位置を媒体が通過するように、この媒体を支持しながら搬送する支持部の一例である。
【００３９】
図３に示す吸引部１４は、吸引ファン１４１、及び排気口１４２を有する。吸引部１４の吸引ファン１４１は、例えば、真空ポンプやブロアであり、その吸気口がバキュームダクト１２２に接続されている。吸引ファン１４１は、ベルト１２１の外周側の空気を、ベルト１２１及びバキュームダクト１２２の壁面にそれぞれ設けられた孔からバキュームダクト１２２の内部へ吸引する。そして、吸引ファン１４１は、吸引した空気を排気口１４２から排出する。つまり、図３に示す吸引部１４は、空気を吸引する吸引部の一例である。排気口１４２から排出される空気は、図示しないダクトに導かれて、画像形成装置９の筐体の外部へ排出される。
【００４０】
ベルト１２１の外周面に媒体が支持されているときに吸引ファン１４１を駆動させると、ベルト１２１と媒体とに挟まれた空気は、吸引ファン１４１によって吸引され、バキュームダクト１２２の内部を通って排気口１４２から排出される。これにより、ベルト１２１と媒体とに挟まれた空間の気圧は負圧になり、媒体はベルト１２１に吸い寄せられる。つまり、この構成における吸引部１４は、支持部と媒体とに挟まれた空気を吸引して支持部を通過させ、媒体をこの支持部に近づける吸引部の一例である。
【００４１】
送風部１３は、ブロアやファン等の送風装置を有し、図２に示す矢印Ｄ２に沿って空気を送る。矢印Ｄ２の先には、支持部１２に支持されながら搬送される媒体と、この媒体に形成された画像を読取る読取部１１と、がある。送風部１３から送られる空気は、媒体の第１面に吹付けられる。この結果、この媒体のうち、読取部１１により読取られる部位は支持部１２に押付けられる。そして、これにより、押付けられたこの部位から光学系１１３を経由して撮像素子１１２までの光路の距離が維持されるため、読取り処理が安定する。すなわち、送風部１３から送られた空気の流れを用いて、その空気を第１面の側まで導き、第１面の側から空気を吹付けて、媒体のうち読取部に読取られる部位を支持部に押付ける構成は、本発明における押付部の一例である。
【００４２】
図４は、送風部１３によって吹付けられる空気の流れを示す図である。図４に示す通り、読取部１１は、２つの照射部１１１を有している。これら２つの照射部１１１は、支持部１２により媒体が搬送される方向（搬送方向という）の上流側及び下流側に並べて配置され、支持部１２のベルト１２１により搬送される媒体に、それぞれ異なる角度で光を照射する。これにより、媒体は、その第１面に凹凸があっても影が生じ難くなる。
【００４３】
図２に示した送風部１３から送られる空気は、図４に示す通り、媒体のうち読取部１１により読取られる部位を支持部１２へ押付けるとともに、読取部１１の照射部１１１の周囲を通過する。そのため、照射部１１１から発生する熱は、送風部１３から送られて媒体に吹付けられる空気により奪われる。つまり、この送風部１３から送られた空気で、照射部を冷却し、その空気を読取部により読取られる部位を支持する支持部まで導いて支持部に押付ける構成は、本発明における押付部の一例である。
【００４４】
以上、説明した通り、本発明に係る画像読取装置１によれば、媒体が支持部１２に押付けられるので、画像が読取られるときの媒体の姿勢は安定する。そして、この媒体のうち読取部１１により読取られる部位と、読取部１１の撮像素子１１２までの焦点距離は維持される。そのため、読取部１１によって読取られる画像は乱れ難くなる。また、これにより、媒体は支持部１２の側に押付けられて、読取部１１に接触し難くなるので、例えば、媒体と読取部１１との間に、読取部１１を保護するためのガラス等を設置する必要がなくなる。
【００４５】
＜変形例＞
以上が実施形態の説明であるが、この実施形態の内容は以下のように変形し得る。また、以下の変形例は、組合されてもよい。
【００４６】
＜１＞
上述した実施形態において、送風部１３は、図２に示す矢印Ｄ２に沿って空気を送っていたが、図２に破線で示す矢印Ｄ２ａに沿って空気を送ってもよい。図２に破線で示す矢印Ｄ２ａは、読取部１１の撮像素子１１２の周囲を通過する。そのため、送風部１３がこの矢印Ｄ２ａに沿って空気を流すと、この空気は、媒体を支持部１２に押付けるとともに、撮像素子１１２を冷却する。すなわち、この変形例において、送風部１３から送られた空気で、撮像素子を冷却し、その空気を用いて媒体のうち読取部１１に読取られる部位を支持する支持部１２まで導いて支持部１２に押付ける構成は、本発明における押付部の一例である。
【００４７】
＜２＞
上述した実施形態において、画像読取装置１は、吸引部１４を有していたが、吸引部１４を有しなくてもよい。この場合でも、送風部１３は、媒体のうち読取部１１に読取られる部位を支持部１２に押付けるため、送風部１３がない場合に比べて媒体の姿勢は安定する。
【００４８】
＜３＞
上述した実施形態において、画像読取装置１の支持部１２は、媒体を搬送して、読取部１１により読取られる位置を通過させていたが、これに限られない。支持部１２は、媒体を第２面から支持していれば、搬送する機能を有しなくてもよい。支持部１２は、例えば、媒体が自重でその表面を滑走するシュートであってもよい。また、支持部１２により支持される媒体は、いわゆるファンフォールド紙であってもよい。この場合、媒体は、その搬送方向に交差する幅方向の両端に設けられたスプロケットホールにトラクタフィーダを係合させて、搬送されるとよい。支持部１２は、トラクタフィーダが搬送するときの媒体の中央部を第２面から支持すればよい。すなわち、支持部１２は、媒体を、第１面の反対側の面である第２面から支持すれば、搬送しなくてもよい。
【００４９】
＜４＞
上述した実施形態において、吸引部１４の吸引ファン１４１により吸引され、排気口１４２から排出される空気は、図示しないダクトに導かれて、画像形成装置９の筐体の外部へ排出されていたが、送風部１３に送られてもよい。
【００５０】
また、吸引部１４は、送風部１３の機能を兼ねてもよい。図５は、送風部１３を兼ねた吸引部１４の例を示す図である。図５に示す吸引部１４は、吸引ファン１４１が排出する空気を媒体の第１面に導くブロアダクト１４３を有する。ブロアダクト１４３に導かれた空気は、上述したベルト１２１の外周面に支持された媒体の第１面に吹付けられる。この空気により、ベルト１２１により搬送される媒体は、ベルト１２１の外周面に押付けられる。すなわち、この場合、吸引部１４のうち上述したブロアダクト１４３は、吸引ファン１４１により吸引された空気を媒体の第１面にまで導き吹付けて、媒体のうち読取部に読取られる部位を支持部に押付ける押付部として機能する。
【００５１】
＜５＞
上述した実施形態において、画像読取装置１は、例えば、図４に示す通り、ほぼ真上から媒体の第１面に空気を吹付けて、この媒体のうち読取部１１により読取られる部位を支持部１２へ押付ける構成を有していたが、空気を吹付ける方向は、これに限られない。
【００５２】
図６は、搬送される方向に沿って媒体に空気が吹付けられる態様を示す図である。図６に示す通り、ノズル１３１は、図６で全体を図示しない押付部の一部を構成する部材であり、送風部１３により送られる空気を媒体の第１面に吹付ける。
【００５３】
保護ガラス１１４は、図６で全体を図示しない読取部１１の一部を構成する透明なガラスであり、支持部１２により搬送されるときの媒体の第１面に並行して配置され、この媒体のうち読取部１１により読取られる部位を保護する。この保護ガラス１１４は、媒体からの反射光を透過させる。媒体に形成された画像は、保護ガラス１１４を介して読取部１１により読取られる。
【００５４】
ノズル１３１は、保護ガラス１１４と支持部１２との隙間であって、支持部１２による媒体の搬送方向の上流側に対向する位置が開口している。これにより、ノズル１３１は、送風部１３により送られる空気を、図６に示す矢印Ｄ２ｂに沿って、この開口から媒体の第１面に吹付ける。吹付けられた空気は、媒体と保護ガラス１１４との隙間を通って、この媒体の搬送方向の上流側から下流側に向けて流れる。すなわち、送風部１３から送られた空気を媒体の搬送方向の上流側に対向する上述した位置へ導くノズル１３１は、媒体が搬送される方向に沿った方向に空気を吹付ける押付部の構成要素の一例である。この場合であっても、送風部１３から吹付けられる空気は、媒体の搬送方向に沿った方向に流れるので、媒体の搬送を妨げ難い。なお、図６に示すノズル１３１は、上述したブロアダクト１４３を兼ねてもよい。
【００５５】
＜６＞
上述した実施形態において、搬送される媒体は、片側の面だけが読取られていたが、両側の面が読取られてもよい。この場合、画像読取装置１は、読取部１１、支持部１２、及び押付部をそれぞれ２つずつ有してもよい。
【００５６】
図７は、媒体の両側の面を読取る画像読取装置１の例を示す図である。図７に示す画像読取装置１において、読取部１１Ａ、支持部１２Ａ、及び押付部Ａは、媒体の搬送方向の上流側に配置され、読取部１１Ｂ、支持部１２Ｂ、及び押付部Ｂは、媒体の搬送方向の下流側に配置されている。
【００５７】
押付部Ａは、支持部１２Ａにより搬送される媒体に空気を吹付けて、この媒体のうち、読取部１１Ａに読取られる部位を支持部１２Ａに押付ける。そして、支持部１２Ａを通過した媒体は、この媒体から見て支持部１２Ａの反対側に設けられた支持部１２Ｂにより、支持されながら搬送される。
【００５８】
押付部Ｂは、支持部１２Ｂにより搬送される媒体に空気を吹付けて、この媒体のうち、読取部１１Ｂに読取られる部位を支持部１２Ｂに押付ける。このとき、支持部１２Ｂが支持する面は、支持部１２Ａが支持していた面の反対側であり、読取部１１Ｂは、読取部１１Ａが読取った面の反対側の面を読取る。つまり、読取部１１Ｂは、読取部１１Ａが読取った第１面の反対側である第２面を読取る。この構成では、読取部１１Ａ、支持部１２Ａ、及び押付部Ａの組を通過した媒体は、そのまま、読取部１１Ｂ、支持部１２Ｂ、及び押付部Ｂの組を通過し、媒体の両面に形成された２つの画像は、それぞれ画像読取装置１により読取られる。
【００５９】
＜７＞
上述した実施形態において、ベルト１２１には、格子状に配置された複数の孔が形成されていたが、これに限られない。例えば、ベルト１２１は、糸状の部材を編んで構成されるメッシュ状の部材であってもよい。ベルト１２１を構成するメッシュ状の部材は、金属で構成されていてもよいし、天然ゴム、合成樹脂等の有機材料で構成されていてもよい。
【００６０】
また、バキュームダクト１２２の壁面も、このメッシュ状の部材であってもよい。これらのベルト１２１及びバキュームダクト１２２の壁面も、糸状の部材の隙間から空気が通過する。
【００６１】
また、支持部１２は、ベルト１２１及びバキュームダクト１２２を有していたが、例えば、壁面に通気孔が形成された金属製の円筒ドラムであってもよい。
【００６２】
＜８＞
上述した実施形態において、読取部１１は、縮小光学系である光学系１１３を有していたが、これに限られない。読取部１１は、例えば、支持部１２に沿って配置された撮像素子１１２を有してもよい。この場合、撮像素子１１２は、媒体の第１面で生じる反射光を、光学系を介さずに感知してもよい。押付部は、支持部１２に支持された媒体とともに、この支持部１２に沿って配置された撮像素子１１２に空気を吹付けてもよい。これにより、媒体は、支持部１２に押付けられ、撮像素子１１２は冷却される。
【００６３】
＜９＞
上述した実施形態において、画像読取装置１は、画像形成装置９を構成していたが、これに限られない。画像読取装置１は、例えば、既に別の画像形成装置において媒体に形成された画像を読取る装置であってもよい。この画像読取装置１は、読取った画像に異常がないか否かを判断し、その結果を利用者に通知してもよい。
【符号の説明】
【００６４】
１…画像読取装置、１１…読取部、１１Ａ…読取部、１１Ｂ…読取部、１１１…照射部、１１２…撮像素子、１１３…光学系、１１４…保護ガラス、１２…支持部、１２Ａ…支持部、１２Ｂ…支持部、１２１…ベルト、１２２…バキュームダクト、１２３…ロール、１３…送風部、Ａ…押付部、Ｂ…押付部、１３１…ノズル、１４…吸引部、１４１…吸引ファン、１４２…排気口、１４３…ブロアダクト、２…制御装置、２１…検査部、３…画像形成部、３１…搬送部、３２…現像部、３３…転写部、３４…定着部、４…分類装置、９…画像形成装置、Ｄ１…矢印、Ｄ２…矢印、Ｄ２ａ…矢印、Ｄ２ｂ…矢印。
【図１】
2020156019.tif 000003
【図２】
2020156019.tif 000004
【図３】
2020156019.tif 000005
【図４】
2020156019.tif 000006
【図５】
2020156019.tif 000007
【図６】
2020156019.tif 000008
【図７】
2020156019.tif 000009